(57)【要約】【課題】耐圧強度に優れた包装を、簡単かつ低コストで行なうことのできる緩衝機能付き包装箱を提供する。【解決手段】各一対の側板１，２から角筒状の周壁を形成し、内フラップ４，６及び外フラップ５，７を閉じて封緘する包装箱において、前記一対の側板１から延びる上方の内フラップ４に、その基端寄りから先端寄りへ向かう一対の切目線８を入れ、切目線８の外側に支柱部１０を、内側に押圧部１１を形成し、側板１と直角をなす他の一対の側板２から延出した下方の内フラップ６を巻き込むように折り曲げて、この内フラップ６で物品を支持し、押圧部１１を山折線１１ａ沿いに折り曲げ、支柱部１０を山折線１０ａ及び谷折線１０ｂ沿いに折り曲げて、折返線１０ｃ沿いに折り返し、下方へ突出した支柱部１０を、収納する物品と側板２との間に差し込んで、押圧部１１で物品を上方から押さえ込む。【選択図】図３
2010047302.tif 000002
【特許請求の範囲】
【請求項１】
各一対の側板(1,2)を直角をなすように連設して角筒状の周壁を形成し、側板(1,2)の上端及び下端から延びる内フラップ(4,6)及び外フラップ(5,7)を閉じて封緘する包装箱において、前記一対の側板(1)から延びる上方の内フラップ(4)に、その基端寄りから先端寄りへ向かう一対の切目線(8)を入れ、この切目線(8)の外側に支柱部(10)を、内側に押圧部(11)を形成し、支柱部(10)には、内フラップ(4)の基端側に山折線(10a)を、先端側に谷折線(10b)を、中間に折返線(10c)を入れ、押圧部(11)には、中間に山折線(11a)を入れ、支柱部(10)の折返線(10c)を、押圧部(11)の山折線(11a)よりも内フラップ(4)の先端側に位置させておき、前記一対の側板(1)と直角をなす他の一対の側板(2)から延出した下方の内フラップ(6)を巻き込むように折り曲げて、この内フラップ(6)で物品を支持し、上方の内フラップ(4)の押圧部(11)を山折線(11a)沿いに折り曲げ、支柱部(10)を山折線(10a)及び谷折線(10b)沿いに折り曲げて、折返線(10c)沿いに折り返し、下方へ突出した支柱部(10)を、収納する物品と側板(2)との間に差し込んで、押圧部(11)で物品を上方から押さえ込むことを特徴とする緩衝機能付き包装箱。
【発明の詳細な説明】
【技術分野】
【０００１】
この発明は、フラップの折り曲げによる緩衝構造を備えた包装箱に関するものである。
【背景技術】
【０００２】
従来、照明器具の包装箱として、下記特許文献１には、図６に示すように、周壁５１を各一対の側板５２，５３により形成し、側板５２から延びる下方の内フラップ５４を折り曲げて、照明器具を載置保持する緩衝構造を形成し、側板５３から延びる下方の外フラップ５５を内フラップ５４に重ねて底面を閉止するものが知られている。
【０００３】
この包装箱の天面側では、側板５２から延びる上方の内フラップ５６を切り込んで、折込片５６ａ及び差込片５６ｂを形成し、折込片５６ａを下方へ折り曲げて、照明器具に係合させ、照明器具の箱内での移動やがたつきを阻止し、差込片５６ｂを側板５３から延びる外フラップ５７のスリット５７ａに差し込んで封緘する。
【０００４】
【特許文献１】実開昭５４−１０２４６０号公報
【発明の開示】
【発明が解決しようとする課題】
【０００５】
ところで、上記包装箱では、包装する物品として、ランプを包囲するセードが硬く、強度が大きいペンダント形式の照明器具を想定していることから、耐圧強度や天面側の緩衝性はあまり考慮されていない。
【０００６】
しかしながら、近年照明器具の主流となっているシーリングライトは、セードが比較的柔らかく、大径であり、積上荷重が作用すると、変形して破損するおそれがある。
【０００７】
このため、その包装に際しては、箱とは別体の緩衝材を挿入する必要があり、包装時の作業に手間がかかるほか、コストが嵩むという問題があった。
【０００８】
そこで、この発明は、耐圧強度に優れた包装を、簡単かつ低コストで行なうことのできる緩衝機能付き包装箱を提供することを課題とする。
【課題を解決するための手段】
【０００９】
上記課題を解決するため、この発明は、各一対の側板を直角をなすように連設して角筒状の周壁を形成し、側板の上端及び下端から延びる内フラップ及び外フラップを閉じて封緘する包装箱において、前記一対の側板から延びる上方の内フラップに、その基端寄りから先端寄りへ向かう一対の切目線を入れ、この切目線の外側に支柱部を、内側に押圧部を形成し、支柱部には、内フラップの基端側に山折線を、先端側に谷折線を、中間に折返線を入れ、押圧部には、中間に山折線を入れ、支柱部の折返線を、押圧部の山折線よりも内フラップの先端側に位置させておき、前記一対の側板と直角をなす他の一対の側板から延出した下方の内フラップを巻き込むように折り曲げて、この内フラップで物品を支持し、上方の内フラップの押圧部を山折線沿いに折り曲げ、支柱部を山折線及び谷折線沿いに折り曲げて、折返線沿いに折り返し、下方へ突出した支柱部を、収納する物品と側板との間に差し込んで、押圧部で物品を上方から押さえ込むこととしたのである。
【発明の効果】
【００１０】
この包装箱では、上方の内フラップに形成した支柱部が下方の巻き込んだ内フラップに当接して、上方の内フラップの落ち込みを防止するので、優れた耐圧強度を得ることができ、また、押圧部で物品の跳ね上がりを防止するので、別途緩衝材を用意することなく、物品を輸送時の積上荷重や落下等による衝撃から保護することができる。
【発明を実施するための最良の形態】
【００１１】
以下、この発明の実施形態を添付図面に基づいて説明する。
【００１２】
この包装箱は、天井に取り付けるシーリングライト型の照明器具の包装に使用するものであり、図１に示す段ボールのブランクから形成される。
【００１３】
このブランクでは、各一対の側板１，２が交互に連設され、一方の側板１の外側に継代片３が連設されている。各側板１の上端には内フラップ４が、各側板２の上端には外フラップ５がそれぞれ連設され、各側板２の下端には内フラップ６が、各側板１の下端には外フラップ７がそれぞれ連設されている。
【００１４】
上方の内フラップ４には、その基端寄りから先端寄りへ向かう一対の切目線８が入れられ、各切目線８は、縦画部８ａと内向きの横画部８ｂとからなるＬ字状とされている。横画部８ｂの内端から内フラップ４の先端へかけては、折目線９が入れられている。
【００１５】
この内フラップ４において、切目線８の縦画部８ａの外側は支柱部１０とされ、切目線８及び折目線９の内側は押圧部１１とされている。また、折目線９の外側は、肩部１２とされている。
【００１６】
支柱部１０には、内フラップ４の基端側に山折線１０ａが、先端側に谷折線１０ｂが、中間に折返線１０ｃがそれぞれ入れられている。
【００１７】
谷折線１０ｂ及び折返線１０ｃは、押罫に断続する切目を入れたリード罫とされ、これにより、谷折線１０ｂは、押罫を入れた面の逆方向への折り曲げが可能となり、折返線１０ｃは、１８０°に至る深い折り曲げが可能となっている。
【００１８】
押圧部１１には、その中間に切目線８の縦画部８ａ間に亘る押罫の山折線１１ａが入れられ、支柱部１０の折返線１０ｃは、押圧部１１の山折線１１ａよりも内フラップ４の先端側に位置している。
【００１９】
下方の内フラップ６には、先端縁に並行して、押罫の山折線１３ａ，１３ｂ，１３ｃ，１３ｄが先端側から基端側へ順次間隔をあけて入れられている。
【００２０】
また、この内フラップ６には、山折線１３ｂから内フラップ６の先端側へ入れたコ字状の切込により３個の舌片１４が形成され、山折線１３ｄから内フラップ６の先端側へ入れた切込により先端縁が弧状に膨出した舌片１５が形成されている。
【００２１】
上記のようなブランクを組み立てて、照明器具を包装する際には、図２に示すように、側板１，２を角筒状に折り曲げ、継代片３を反対側の側板２に貼り付けて周壁を形成し、下方の内フラップ６を山折線１３ａ〜１３ｄに沿って巻き込むように折り曲げる。
【００２２】
これにより、外向きに突出した舌片１４の先端が側板２の内面に当接して、内フラップ６の反発による戻りが防止される。また、舌片１５が内向きに突出し、外フラップ７を閉じて底面を封止すると、舌片１５が外フラップ７の内面に重なる。
【００２３】
そして、照明器具Ｌを、セードが上方に向いた状態で、舌片１５の抜出穴に嵌め込むようにして、箱内に挿入する。
【００２４】
次に、上方の内フラップ４の押圧部１１を山折線１１ａ沿いに折り曲げ、支柱部１０を山折線１０ａ及び谷折線１０ｂ沿いに折り曲げて、折返線１０ｃ沿いに折り返し、図３に示すように、内フラップ４を内側へ倒伏させ、下方へ突出した支柱部１０を、照明器具Ｌと側板２との間に差し込む。
【００２５】
このとき、内フラップ４の肩部１２が折目線９を基端として揺動し、少し折れ曲がった状態で、照明器具Ｌのセードを抱き込むように保持する。
【００２６】
その後、図４及び図５に示すように、外フラップ５を閉じ、粘着テープＴを外フラップ５の突合部に貼り付けて、天面を封止すると、包装作業が完了する。
【００２７】
上記のような包装箱では、積上荷重が作用したとき、内フラップ４に設けた支柱部１０の折返線１０ｃの部分及び肩部１２の外端部が底面側の内フラップ６の上面に当接して、内フラップ４の落ち込みを防止するので、優れた耐圧強度を得ることができる。
【００２８】
また、押圧部１１で照明器具Ｌを上方から押さえ込み、照明器具Ｌの跳ね上がりを防止するので、照明器具Ｌを輸送時の落下等による衝撃から確実に保護することができる。
【００２９】
さらに、上方の内フラップ４と直角をなす下方の内フラップ６を巻き込んで、下方の内フラップ６で照明器具Ｌを支持するので、照明器具Ｌが周方向にバランスよく下方及び上方で保持される。
【００３０】
そのほか、内フラップ４，６を利用して緩衝構造を構成するので、緩衝材を別途用意する必要がなく、包装コストを抑制することができる。
【００３１】
なお、上記実施形態では、平面形状がほぼ正方形となる包装箱を例示したが、隣り合う側板１，２の稜部に面取部を設け、平面形状が八角形状となるようにしてもよい。
【図面の簡単な説明】
【００３２】
【図１】この発明に係る緩衝機能付き包装箱のブランクを示す図
【図２】同上の組立過程を示す斜視図
【図３】同上の組立過程を示す斜視図
【図４】同上の包装状態を示す斜視図
【図５】同上の縦断側面図
【図６】従来の緩衝機能付き包装箱の斜視図
【符号の説明】
【００３３】
１，２  側板
３  継代片
４，６  内フラップ
５，７  外フラップ
８  切目線
８ａ  縦画部
８ｂ  横画部
９  折目線
１０  支柱部
１０ａ  山折線
１０ｂ  谷折線
１０ｃ  折返線
１１  押圧部
１２  肩部
１３ａ〜１３ｄ  山折線
１４，１５  舌片
Ｌ  照明器具
【図１】
2010047302.tif 000003
【図２】
2010047302.tif 000004
【図３】
2010047302.tif 000005
【図４】
2010047302.tif 000006
【図５】
2010047302.tif 000007
【図６】
2010047302.tif 000008